(57)【要約】      （修正有）【課題】高電荷の放電現象があっても発光ダイオード素子の破損がなく、また雪の付着や凍結がなく照明機能を健全に保持することができる発光ダイオード照明装置を提供する。【解決手段】多数の発光ダイオード素子６，６をマウントした実装基板５を金属性ボディ１に内装し、この金属性ボディ１の一端開放部に、発光ダイオード素子６、６からの照射光を透過するカバー板１２を近接して設ける。カバー板１２の表面に導電性の電荷遮蔽体を設けると共に、この電荷遮蔽体を、金属性ボディ１を介して外部に接地する。電荷遮蔽体は金属層であり、この金属層をカバー板１２に網目状に溶着する。【選択図】図１
0003196418.tif 000002
【実用新案登録請求の範囲】
【請求項１】
多数の発光ダイオード素子をマウントした実装基板を金属性ボディに内装し、この金属性ボディの一端開放部に、発光ダイオード素子からの照射光を透過するカバー板を近接して設けた発光ダイオード照明装置において、
上記カバー板の表面に導電性の電荷遮蔽体を設けると共に、この電荷遮蔽体を、前記金属性ボディを介して外部に接地したことを特徴とする発光ダイオード照明装置。
【請求項２】
電荷遮蔽体が金属層であり、この金属層をカバー板に網目状に溶着したことを特徴とする請求項１の発光ダイオード照明装置。
【請求項３】
電荷遮蔽体が導電性の透明塗料であり、この透明塗料をカバー板に塗着したことを特徴とする請求項１の発光ダイオード照明装置。
【請求項４】
多数の発光ダイオード素子をマウントした実装基板を金属性ボディに内装し、この金属性ボディの一端開放部に、発光ダイオード素子からの照射光を透過するカバー板を近接して設けた発光ダイオード照明装置において、
発光ダイオード素子に接近してこれを囲繞するように反射板を配設し、この反射板に導電性の電荷遮蔽体を設けると共に、この電荷遮蔽体を、前記金属性ボディを介して外部に接地したことを特徴とする発光ダイオード照明装置。
【請求項５】
電荷遮蔽体が金属層であり、この透明塗料をカバー板に蒸着したことを特徴とする請求項４の発光ダイオード照明装置。
【考案の詳細な説明】
【技術分野】
【０００１】  本考案は、高電荷に曝される雰囲気においても発光ダイオード素子の破損を生ずることがないように対策を施した発光ダイオード照明装置に関するものである。
【背景技術】
【０００２】  近年、環境意識が高揚する中、とりわけ電力分野においては、従来の白熱電球、水銀灯などに代えて低消費電力、長寿命などの特性を備えた発光ダイオード光源が使用されている。この種の照明器具は、一般家庭は勿論工場内で広く普及しているばかりでなく、降雪量の多い寒冷地域など屋外での普及も目ざましいものがある。【０００３】  屋外で使用する大容量の照明器具は、数十個乃至は百個以上の発光ダイオード素子を一枚の実装基板に配設したもの（特許文献１参照）であり、また、その配光特性を良好にするために、各発光ダイオード素子を囲繞するように反射壁を設けたものも公知である。（特許文献２参照）
【先行技術文献】
【特許文献】
【０００４】
【特許文献１】  特開２００８−２５２１４１号
【特許文献１】  特開２０１３−１０５６２７号
【考案の概要】
【考案が解決しようとする課題】
【０００５】  上記した従来の照明器具を降雪量の多いスキー場、冬季運動競技場などに設置したとき、この雰囲気においては、雪粉に大きな電荷（静電気）が存在し、その放電によって照明器具内の発光ダイオード素子が破壊されてしまうという問題が引き起こされる。また、飛雷によって発光ダイオード素子の破壊を招くことも報告されている。【０００６】  ここにおいて従来では、照明器具の光照射面から隔離した前方位置に網篭状の電荷遮蔽部材を装着し、この遮蔽部材を電気的に接地することによって破損対策を行っているが、この手法によるときは、多量の降雪時には遮蔽部材に雪粉が付着し、さらには凍り付きによって照明器具本来の機能を発揮することができないという問題があった。【０００７】  本考案は、上記した従来技術の問題点に着目してなされたものであり、高電荷の放電現象があっても発光ダイオード素子の破損がなく、また雪の付着や凍結がなく照明機能を健全に保持することができる発光ダイオード照明装置を提供しようとするものである。
【課題を解決するための手段】
【０００８】  上記の課題を解決するために、本考案に係る発光ダイオード照明装置は、多数の発光ダイオード素子をマウントした実装基板を金属性ボディに内装し、この金属性ボディの一端開放部に、発光ダイオード素子からの照射光を透過するカバー板を近接して設けた発光ダイオード照明装置において、上記カバー板の表面に導電性の電荷遮蔽体を設けると共に、この電荷遮蔽体を、前記金属性ボディを介して外部に接地したことを第１の特徴としている。【０００９】  また本考案に係る発光ダイオード照明装置は、請求項１において、電荷遮蔽体が金属層であり、この金属層をカバー板に網目状に溶着したことを第２の特徴としている。【００１０】  また本考案に係る発光ダイオード照明装置は、請求項１において、電荷遮蔽体が導電性の透明塗料であり、この透明塗料をカバー板に塗着したことを第３の特徴としている。【００１１】  また本考案に係る発光ダイオード照明装置は、多数の発光ダイオード素子をマウントした実装基板を金属性ボディに内装し、この金属性ボディの一端開放部に、発光ダイオード素子からの照射光を透過するカバー板を近接して設けた発光ダイオード照明装置において、発光ダイオード素子に接近してこれを囲繞するように反射板を配設し、この反射板に導電性の電荷遮蔽体を設けると共に、この電荷遮蔽体を、前記金属性ボディを介して外部に接地したことを第４の特徴としている。【００１２】  また本考案に係る発光ダイオード照明装置は請求項４において、電荷遮蔽体が金属層であり、この透明塗料をカバー板に蒸着したことを第５の特徴としている。
【考案の効果】
【００１３】  以上のように構成した課題解決手段によれば、高電荷が存在する雰囲気にあっても、これを電荷遮蔽体が捕え、電気的に導通する金属性ボディを介して外部に放出することができる。このため、発光ダイオード素子の破壊の問題点を解消することができる。【００１４】  また、本考案の発光ダイオード照明装置は、発光ダイオード素子をカバー板に接近して配設したものである。このため、照射熱によって氷雪などを有効に溶解することができ、照明器具本来の機能を効果的に発揮することができる。
【図面の簡単な説明】
【００１５】
【図１】  本考案に係る発光ダイオード照明装置の一実施例を示す一部縦断正面図である。
【図２】  同じく、一部の詳細構造を示す拡大断面図である。
【図３】  同じく、カバー板の一部を切り欠いて示す平面図である。
【図４】  金属層を網目状に溶着して電荷遮蔽体を構成したカバー板の正面図である。
【図５】  導電性塗料を塗着して電荷遮蔽体を構成したカバー板の側面図である。
【考案を実施するための形態】
【００１６】  発光ダイオード照明装置の保護および保全を図るべく、その構成を最小の部品点数をもって合理的に実現した。
【実施例１】
【００１７】  図１から図３において、１はアルミダイキャストなどによって構成した金属性ボディ  ２は金属性ボディ１の外周部に設けた多数の放熱フィン  ３ａは金属性ボディ１の一端開放部に設けた平面状の取付面  ４は金属性ボディ１の他端部に設けた接続金具である。【００１８】  ５は取付面３ａに放熱シート（図示省略）を介して取りつけた円盤状の実装基板  ６、６は実装基板５にマウントした多数の発光ダイオード素子  ７は接続器材８を介して発光ダイオード素子６，６に直流電力を供給する電源コード８ａは電源コード７の保持金具である。上記の実装基板５、発光ダイオード素子６、６電源コード７の各部材は、前記金属性ボディ１と電気的に絶縁して配設する。【００１９】  ９は各発光ダイオード素子６、６に近接し、これを囲繞する凹陥状の配光壁１０、１０と、この配光壁１０、１０を連結する平面部とによって構成した円盤状の反射板  この反射板９の表面部には導電性の電荷遮蔽体Ａを金属層（蒸着膜）の蒸着によって形成する。上記の金属層の材質としては、アルミニウムが好適である。【００２０】  １１は反射板９を金属性ボディ１に取りつけ固定した固定ネジ  この固定ネジ１１は電荷遮蔽体Ａと金属性ボディ１とを導通している。また上記反射板９と実装基板５、発光ダイオード素子６，６しは十分な絶縁距離をもって非接触状態に配置される。【００２１】  １２は金属性ボディ１における一端開放部にして、発光ダイオード素子６、６の光照射位置に対応した強化ガラス製のカバー板  このカバー板１２における発光ダイオード素子６、６との対向面（内面側）には、導電性の電荷遮蔽体Ｂを、金属層の溶着によって形成する。【００２２】  上記の金属層の材質としては、銀ペーストが好適であり、これを適当間隔（一実施例では１０ｍｍ間隔で、線幅０．５ｍｍ）の網目状にスクリーン印刷し、その後焼付けして形成する。その他の代替材料としては、金、銅などがあげられる。【００２３】  １３は金属性ボディ１の取付面３ｂとカバー板１２との間に介装した気密保持用のパッキン部材  このパッキン部材１３は、導電性を有しており、前記した金属性ボディ１とカバー板１２の電荷遮断体Ｂを電気的に導通する。【００２４】  １４は金属性ボディ１の開放部内周に設けたメネジ筒  １５はメネジ筒１４に螺合したリング状の締付ネジ  この締付ネジ１５は、カバー板１２の表面側に当接しており、押圧力によってカバー体１２を金属性ボディ１の取付面３ｂに固定する。１６は金属性ボディ１の外周部に設けた取付ネジであり、端子１７および電線１８を介して図示省略のアース棒に接続し、金属性ボディ１の接地を行う。【００２５】  一実施例に係る発光ダイオード照明装置は上記のように構成されるものであり、大きな放電電荷が発生する雰囲気で使用した場合は、この電荷をカバー体１２の電荷遮蔽体Ｂ、導電性のパッキン部材１３、金属性ボディ１、端子１７、電線１８を通して外部のアース棒に放出することができる。【００２６】  また残余の電荷が内部に印加された場合でも、これを反射板９の電荷遮断体Ａ、固定ネジ１１、金属性ボディ１を通して外部に放出することができる。このため、発光ダイオード素子６，６にダメージを生ずることがなく、健全な状態に保持することができる。【００２７】  また一実施例の構成によれば、降雪時に雪粉が付着したり或いは凍結があった場合でも、この部分に発光ダイオード素子６，６の照射熱を有効に作用することができる。このため、照明装置としての本来の機能を確実に維持することができる。【００２８】  なお上記の一実施例では、カバー板１２と反射板９の両方に電荷遮蔽体Ａ、Ｂを備えたが、何れか一方の場合においても有効に作用効果を発揮することができる。【００２９】  また一実施例では、カバー板１２の電荷遮蔽体Ｂとして金属材料を網目状に溶着したものを用いたが、これを導電性の透明塗料によって形成することもできる。この電荷遮蔽体Ｃは、酸化錫を導電主体としたものであり、市販に供されているものを使用することができる。
【産業上の利用可能性】
【００３０】  一実施例では、本考案の発光ダイオード照明装置を屋外において使用した場合について説明したが、高い電荷が存在する場所であれば、屋内外の別なく使用できることは勿論である。【００３１】  また一実施例では、電荷遮蔽体Ｂを直接に外気と接しない内側空間に配設したが、外気に触れる表面側（外側）に設けることもできる。このことは導電性の透明塗料によって電荷遮蔽体Ｃを形成した場合も同様である。
【符号の説明】
【００３２】  １    金属性ボディ
３ａ  取付面
３ｂ  取付面
５    実装基板
６    発光ダイオード素子
９    反射板
Ａ    電荷遮蔽体
１１    固定ネジ
１２    カバー板
Ｂ    電荷遮蔽体
１３    パッキン部材
１６    取付ネジ
１７    端子
Ｃ    電荷遮蔽体
【図１】
0003196418.tif 000003
【図２】
0003196418.tif 000004
【図３】
0003196418.tif 000005
【図４】
0003196418.tif 000006
【図５】
0003196418.tif 000007
【手続補正書】
【提出日】平成26年12月9日(2014.12.9)
【手続補正１】
【補正対象書類名】明細書
【補正対象項目名】００１２
【補正方法】変更
【補正の内容】
【００１２】  また本考案に係る発光ダイオード照明装置は、請求項４において、電荷遮蔽体が金属層であり、この金属層をカバー板に蒸着したことを第５の特徴としている。
【手続補正２】
【補正対象書類名】実用新案登録請求の範囲
【補正対象項目名】請求項５
【補正方法】変更
【補正の内容】
【請求項５】
電荷遮蔽体が金属層であり、この金属層をカバー板に蒸着したことを特徴とする請求項４の発光ダイオード照明器具。